(57)【要約】  周波数帯域の一部における動作の制御を可能とすること。ユーザ端末は、スロットに含まれるシンボル毎の種別を示すパターンを指示する指示情報を、下り制御チャネルにおいて受信する受信部と、前記指示情報により指示されたパターンに基づいて送受信を制御する制御部と、前記制御部は、キャリア周波数帯域内の複数の部分周波数帯域が設定される場合、前記指示情報に基づいて、前記複数の部分周波数帯域の中の少なくとも１つの部分周波数帯域に対するパターンを決定することを特徴とする。
2019030925.tif 000002
【特許請求の範囲】
【請求項１】
スロットに含まれるシンボル毎の種別を示すパターンを指示する指示情報を、下り制御チャネルにおいて受信する受信部と、
前記指示情報により指示されたパターンに基づいて送受信を制御する制御部と、
前記制御部は、キャリア周波数帯域内の複数の部分周波数帯域が設定される場合、前記指示情報に基づいて、前記複数の部分周波数帯域の中の少なくとも１つの部分周波数帯域に対するパターンを決定することを特徴とするユーザ端末。
【請求項２】
前記制御部は、１つの指示情報に基づいて、前記複数の周波数帯域部分及び／又は複数のニューメロロジーにそれぞれ対応する複数のパターンを決定することを特徴とする請求項１に記載のユーザ端末。
【請求項３】
前記複数のパターンにおいて、同じ時間領域に対応する種別は等しいことを特徴とする請求項２に記載のユーザ端末。
【請求項４】
前記受信部は、前記複数の周波数帯域部分及び／又は複数のニューメロロジーにそれぞれ対応する複数の指示情報を受信し、
前記制御部は、前記複数の周波数帯域部分及び／又は複数のニューメロロジーのそれぞれに対するパターンを、対応する指示情報に基づいて決定することを特徴とする請求項１に記載のユーザ端末。
【請求項５】
前記制御部は、前記指示情報に基づいて、前記下りリンク制御チャネルのスロットと異なるスロットに対するパターンを決定することを特徴とする請求項１に記載のユーザ端末。
【請求項６】
ユーザ端末の無線通信方法であって、
スロットに含まれるシンボル毎の種別を示すパターンを指示する指示情報を、下り制御チャネルにおいて受信する工程と、
前記指示情報により指示されたパターンに基づいて送受信を制御する工程と、
前記ユーザ端末は、キャリア周波数帯域内の複数の部分周波数帯域が設定される場合、前記指示情報に基づいて、前記複数の部分周波数帯域の中の少なくとも１つの部分周波数帯域に対するパターンを決定することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
また、既存のＬＴＥシステム（例えば、ＬＴＥ  Ｒｅｌ．８−１３）では、１ｍｓのサブフレームをスケジューリング単位として、下りリンク（ＤＬ：Downlink）及び／又は上りリンク（ＵＬ：Uplink）の通信が行われる。当該サブフレームは、例えば、通常サイクリックプリフィクス（ＮＣＰ：Normal  Cyclic  Prefix）の場合、サブキャリア間隔１５ｋＨｚの１４シンボルで構成される。当該サブフレームは、伝送時間間隔（ＴＴＩ：Transmission  Time  Interval）等とも呼ばれる。【０００４】
また、既存のＬＴＥシステムでは、時間分割複信（ＴＤＤ：Time  Division  Duplex）及び／又は周波数分割複信（ＦＤＤ：Frequency  Division  Duplex）がサポートされる。ＴＤＤでは、無線フレーム内の各サブフレームの伝送方向（ＵＬ及び／又はＤＬ）を定めたＵＬ／ＤＬ構成（UL/DL  configuration）に基づいて、各サブフレームの伝送方向が準静的に制御される。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）では、データチャネル（ＤＬデータチャネル（例えば、ＰＤＳＣＨ：Physical  Downlink  Shared  Channel）及び／又はＵＬデータチャネル（例えば、ＰＵＳＣＨ：Physical  Uplink  Shared  Channel）を含む、単に、データ又は共有チャネル等ともいう）のスケジューリング単位として、既存のＬＴＥシステム（例えば、ＬＴＥ  Ｒｅｌ．８−１３）のサブフレームとは異なる時間単位（time  unit、例えば、スロット及び／又はミニスロットなど）を利用することが検討されている。当該時間単位では、シンボル毎の伝送方向（ＵＬ又はＤＬ）を動的に制御することも検討されている。【０００７】
また、将来の無線通信システム（例えば、ＮＲ）は、ユーザ端末（user  equipment：ＵＥ）に設定される周波数帯域（例えば、キャリア周波数帯域（コンポーネントキャリア（ＣＣ：Component  Carrier）又はシステム帯域等）に対し、一部の周波数帯域が設定されることが検討されている。【０００８】
本発明はかかる点に鑑みてなされたものであり、周波数帯域の一部における動作の制御が可能なユーザ端末及び無線通信方法を提供することを目的の一とする。
【課題を解決するための手段】
【０００９】
本発明のユーザ端末の一態様は、スロットに含まれるシンボル毎の種別を示すパターンを指示する指示情報を、下り制御チャネルにおいて受信する受信部と、前記指示情報により指示されたパターンに基づいて送受信を制御する制御部と、前記制御部は、キャリア周波数帯域内の複数の部分周波数帯域が設定される場合、前記指示情報に基づいて、前記複数の部分周波数帯域の中の少なくとも１つの部分周波数帯域に対するパターンを決定することを特徴とする。
【発明の効果】
【００１０】
本発明によれば、周波数帯域の一部における動作の制御が可能となる。
【図面の簡単な説明】
【００１１】
【図１】図１Ａ及び図１Ｂは、スロットフォーマット関連情報に基づいて決定される一以上のスロットのフォーマットの一例を示す図である。
【図２】図２Ａ及び図２Ｂは、第１の態様のオプション１−１に係るＳＦＩの解釈方法の一例を示す図である。
【図３】ＢＷＰとＳＦＩ値とスロットパターンとを関連付けるテーブルの一例を示す図である。
【図４】第１の態様のオプション２−１の選択肢１に係るＳＦＩの解釈方法の一例を示す図である。
【図５】第１の態様のオプション２−１の選択肢２に係るＳＦＩの解釈方法の一例を示す図である。
【図６】図６Ａ及び図６Ｂは、第１の態様のオプション２−２に係るＳＦＩの解釈方法の一例を示す図である。
【図７】ニューメロロジーとＳＦＩ値とスロットパターンとを関連付けるテーブルの一例を示す図である。
【図８】第１の態様のオプション３−１の選択肢１に係るＳＦＩの解釈方法の一例を示す図である。
【図９】第１の態様のオプション３−１の選択肢２に係るＳＦＩの解釈方法の一例を示す図である。
【図１０】図１０Ａ及び図１０Ｂは、第１の態様のオプション３−２に係るＳＦＩの解釈方法の一例を示す図である。
【図１１】第２の態様のオプション１−１において１つＢＷＰの複数のスロットに対するＳＦＩの解釈方法の一例を示す図である。
【図１２】第２の態様のオプション１−１において複数のＢＷＰの周波数領域が重複しない場合のＳＦＩの解釈方法の一例を示す図である。
【図１３】第２の態様のオプション１−１において複数のＢＷＰの周波数領域が重複する場合のＳＦＩの解釈方法の一例を示す図である。
【図１４】第２の態様のオプション１−２において１つＢＷＰの複数のスロットに対するＳＦＩの解釈方法の一例を示す図である。
【図１５】第２の態様のオプション１−２において複数のＢＷＰの周波数領域が重複しない場合のＳＦＩの解釈方法の一例を示す図である。
【図１６】第２の態様のオプション１−２において複数のＢＷＰの周波数領域が重複する場合のＳＦＩの解釈方法の一例を示す図である。
【図１７】第２の態様のオプション２の選択肢１に係るＳＦＩの解釈方法の一例を示す図である。
【図１８】第２の態様のオプション２の選択肢２に係るＳＦＩの解釈方法の一例を示す図である。
【図１９】本実施の形態に係る無線通信システムの概略構成の一例を示す図である。
【図２０】本実施の形態に係る無線基地局の全体構成の一例を示す図である。
【図２１】本実施の形態に係る無線基地局の機能構成の一例を示す図である。
【図２２】本実施の形態に係るユーザ端末の全体構成の一例を示す図である。
【図２３】本実施の形態に係るユーザ端末の機能構成の一例を示す図である。
【図２４】本実施の形態に係る無線基地局及びユーザ端末のハードウェア構成の一例を示す図である。
【発明を実施するための形態】
【００１２】
また、将来の無線通信システム（例えば、ＮＲ）は、初期導入（例えば、５Ｇ、ＬＴＥ  Ｒｅｌ．１５以降又はフェーズ１）及び初期導入された仕様に対する継続的な進化（例えば、５Ｇ＋、ＬＴＥ  Ｒｅｌ．１６以降又はフェーズ２）などのように、段階的な標準化が行われることが想定される。
【００１３】
したがって、将来の無線通信システムでは、将来的な拡張性（フォワードコンパチビリティ（forward  compatibility））を考慮し、データチャネル（ＤＬデータチャネル（例えば、ＰＤＳＣＨ）及び／又はＵＬデータチャネル（例えば、ＰＵＳＣＨ）を含む、単に、データ又は共有チャネル等ともいう）のスケジューリング単位として、既存のＬＴＥシステム（例えば、ＬＴＥ  Ｒｅｌ．８−１３）のサブフレームとは異なる時間単位（例えば、スロット、及び／又は、ミニスロット、及び／又は、１つ又は複数のＯＦＤＭシンボルなど）を利用することが検討されている。
【００１４】
ここで、スロットは、ユーザ端末が適用するニューメロロジー（例えば、サブキャリア間隔及び／又はシンボル長）に基づく時間単位である。１スロットあたりのシンボル数は、サブキャリア間隔に応じて定められてもよい。例えば、サブキャリア間隔が１５ｋＨｚ又は３０ｋＨｚである場合、当該１スロットあたりのシンボル数は、７又は１４シンボルであってもよい。一方、サブキャリア間隔が６０ｋＨｚ以上の場合、１スロットあたりのシンボル数は、１４シンボルであってもよい。ミニスロットは、スロットよりも短い時間長（又は少ないシンボル数）を有する時間単位である。
【００１５】
また、ユーザ端末には一以上のＢＷＰ（Bandwidth  Part、帯域幅部分、部分周波数帯域、部分帯域）が設定されることが検討されている。ユーザ端末に設定される各ＢＷＰの構成（configuration）情報は、各ＢＷＰのニューメロロジー（例えば、サブキャリア間隔）、周波数位置（例えば、中心周波数）、帯域幅（例えば、リソースブロック（ＲＢ（Resource  Block）、ＰＲＢ（Physical  RB）などとも呼ばれる）の数）、時間リソース（例えば、スロット（ミニスロット）インデックス、周期）などの少なくとも一つを示す情報を含んでもよい。当該構成情報は、上位レイヤシグナリング又はＭＡＣ（Medium  Access  Control）シグナリング）によってユーザ端末に通知されてもよい。
【００１６】
また、将来の無線通信システム（例えば、ＮＲ）では、データチャネルのスケジューリング単位となる時間単位（例えば、一以上のスロット、一以上のミニスロット及び一以上のシンボルの少なくとも一つ）内において、ユーザ端末が何も（anything）（例えば、送信及び／又は受信に関する制御及び／又は動作を）想定してはならない所定の時間及び／又は周波数リソース（時間／周波数リソース）を指定（indicate）可能とすることが検討されている。なお、「何も（anything）（例えば、送信及び／又は受信に関する制御及び／又は動作を）想定してはならない」リソースにおいて、ユーザ端末は、送信及び／又は受信に用いる送受信機をオフにする、例えば、受信機のＡＧＣ（Automatic  gain  control）は当該リソースの電力を考慮しない、送信電力を所定のオフ電力以下に落とす、などとしてもよい。
【００１７】
当該所定の時間／周波数リソースは、例えば、将来的な拡張性（フォワードコンパチビリティ（forward  compatibility））のために設けられる。当該所定の時間／周波数リソースは、ｕｎｋｎｏｗｎリソース、確保（reserved）リソース、ブランクリソース、未使用（unused）リソース等とも呼ばれる。
【００１８】
Ｕｎｋｎｏｗｎリソースとして確保（設定）される時間リソースは、例えば、一以上のシンボル、一以上のスロット、一以上のミニシンボルの少なくとも一つであればよい。また、ＵｎＫｎｏｗｎリソースとして確保される周波数リソースは、ユーザ端末に設定される周波数帯域（例えば、キャリア（コンポーネントキャリア（ＣＣ：Component  Carrier）又はシステム帯域等ともいう）、又は、当該キャリアの少なくとも一部に設定されるＢＷＰの少なくとも一部である。例えば、当該周波数リソースは、キャリア（又はＢＷＰ）の全体であってもよいし、当該キャリア（又はＢＷＰ）を構成するＰＲＢのサブセットであってもよい。
【００１９】
また、上記将来の無線通信システムでは、シンボル毎の伝送方向（ＵＬ及び／又はＤＬ）を動的に制御することも検討されている。例えば、スロットのフォーマットに関する情報（スロットフォーマット関連情報（ＳＦＩ：Slot  Format  related  Information）等ともいう）が、一以上のスロットのフォーマット（スロットフォーマット）を示すことが検討されている。
【００２０】
具体的には、ＳＦＩは、スロットの数と、当該スロットのスロットフォーマットに関する情報と、をＵＥに通知することが検討されている。スロットフォーマットは、一以上のスロットにおける所定時間毎（例えば、所定数のシンボル毎又は所定数のスロット毎）の伝送方向、ガード期間（ＧＰ：Guard  Period）、Ｕｎｋｎｏｗｎリソースの少なくとも一つを示すことが検討されている。
【００２１】
当該ＳＦＩは、一以上のユーザ端末を含むグループに共通の下りリンク制御チャネル（グループ共通ＰＤＣＣＨ（Physical  Downlink  Control  Channel））により運ばれるグループ共通下りリンク制御情報（グループ共通ＤＣＩ（Downlink  Control  Information））に含まれてもよい。
【００２２】
図１は、スロットフォーマット関連情報に基づいて決定される一以上のスロットのフォーマットの一例を示す図である。図１Ａでは、１スロットにおけるシンボル毎の伝送方向及び／又はＧＰが示される。図１Ａに示すように、１スロットにおけるＤＬ用のシンボル（ＤＬシンボルともいう）の位置及び／又は数、ＵＬ用のシンボル（ＵＬシンボルともいう）の位置及び／又は数、及び、ＧＰ用のシンボル（ＧＰシンボル）の位置及び／又は数の少なくとも一つが異なる複数のスロットフォーマットが設けられてもよい。なお、図１Ａは例示にすぎず、スロット内のシンボル数等は図示するものに限られない。
【００２３】
図１Ｂでは、複数のスロット（ここでは、５スロット）におけるスロット毎の伝送方向及び／又はガード期間が示される。図１Ｂに示すように、複数のスロットにおけるＤＬ用のスロット（ＤＬスロットともいう）の位置及び／又は数、ＵＬ用のスロット（ＵＬスロットともいう）の位置及び／又は数、ＧＰ用のスロット（ＧＰスロットともいう）の位置及び／数の少なくとも一つが異なる複数のスロットフォーマットが設けられてもよい。ＧＰスロットは、一以上のＤＬシンボル、一以上のＧＰシンボル及び一以上のＵＬシンボルを含んでもよい。
【００２４】
図１Ａ及び図１Ｂに示す場合、ＳＦＩは、スロットフォーマット関連情報として、ＤＬ用及び／又はＵＬ用の時間リソース（例えば、図１Ａでは一以上のシンボル、図１Ｂでは一以上のスロット）と、Ｕｎｋｎｏｗｎリソースとして確保（設定）される時間リソース（不図示）とを示すこと、すなわち、ＳＦＩが時間方向のスロットフォーマット関連情報を示すことが想定される。なお、スロットフォーマット又はスロットフォーマット関連情報を指定するためのニューメロロジー（ＯＦＤＭサブキャリア間隔やサイクリックプリフィックス長）は、当該ＳＦＩを送受信するのに用いたパラメータで決定されるものとしても良いし、ＳＦＩと併せて送受信される制御情報に基づいていずれのニューメロロジーによるものかが指定されても良いし、所定信号（例えば同期信号または報知チャネル）に基づいて、暗黙的に認識されるものとしてもよい。
【００２５】
１つのスロット内の各シンボルの種別（伝送方向、用途、動作）を示す情報は、スロットパターン（パターン）と呼ばれてもよい。種別は、例えば、ＵＬ、ＤＬ、Ｕｎｋｎｏｗｎのいずれかであってもよい。ＵＥは、スロットパターンに従って、送受信等の動作を制御する。
【００２６】
以下の図において、スロットパターンは、シンボル毎にＵＬ（Ｕ）、ＤＬ（Ｄ）、Ｕｎｋｎｏｗｎ（Ｇ、ＧＰ）のいずれかの種別を示す。図において、スロットパターンにおけるＵｎｋｎｏｗｎリソースが‘Ｇ’（guard  period、ガード期間、又はギャップ）として表されているが、Ｇにより示されたガード期間は、Ｕｎｋｎｏｗｎリソースとして設定されてもよいし、Ｕｎｋｎｏｗｎリソースとして設定されなくてもよい。また、Ｕｎｋｎｏｗｎリソースは、ＤＬ及びＵＬの切り替えのためのガード期間として用いられてもよいし、ガード期間として用いられなくてもよい。例えば、スロットパターンによってＤＬ又はＵＬと設定されたシンボルに対し、送受信を行わないためのＵｎｋｎｏｗｎリソースが設定されてもよい。
【００２７】
また、複数のＢＷＰのうち、ＵＥの処理の対象のＢＷＰであるアクティブＢＷＰが、１つであることが検討されている。この場合、ＵＥは、或る瞬間において１つのＢＷＰだけを処理する。また、単一キャリアの広帯域ＵＥに対して、異なるニューメロロジーを有する複数のアクティブＢＷＰが同時にＵＥに設定されることが検討されている。この場合、ＵＥは、或る瞬間において複数のＢＷＰを処理する。
【００２８】
また、ＵＥの処理の対象となるアクティブＢＷＰが１つである場合に加え、単一キャリアの広帯域ＵＥに対して、異なるニューメロロジーを有する複数のアクティブＢＷＰが同時にＵＥに設定される場合が検討されている。
【００２９】
しかしながら、ＵＥが複数のＢＷＰを設定された場合にＳＦＩをどのように解釈するか、他のＢＷＰ及び／又はスロットに対してＳＦＩをどのように解釈するかが決められていない。
【００３０】
そこで、本発明者らは、ＵＥにＢＷＰが設定された場合に、ＵＥがＳＦＩに基づいて特定のＢＷＰ及び特定のスロットのシンボル毎の種別を決定する方法を検討し、本発明に至った。
【００３１】
以下、本発明の一実施の形態について図面を参照して詳細に説明する。
【００３２】
ニューメロロジーがサブキャリア間隔である場合について説明するが、ニューメロロジーが、シンボル長、スロット内のシンボル数、サイクリックプリフィックス長等であってもよい。
【００３３】
（第１の態様）
第１の態様では、ＵＥは、同一スロットの異なるＢＷＰに対するＳＦＩを解釈する。
【００３４】
＜オプション１＞
オプション１では、ＣＣ毎にＳＦＩの指示が行われる。ＣＣ内の複数のＢＷＰが１つのＳＦＩに関連付けられる。ＳＦＩを運ぶ１つのグループ共通ＰＤＣＣＨが指定される。
【００３５】
ＵＥは、複数のＢＷＰの中の１つのＢＷＰのグループ共通ＰＤＣＣＨにおいて、１つのＳＦＩを受信し、１つのＳＦＩに基づいて複数のＢＷＰのスロットパターンを決定する。複数のＢＷＰにおいてＳＦＩの解釈は同一である。
【００３６】
《オプション１−１》
複数のＢＷＰのニューメロロジーが同一である場合、ＳＦＩの解釈は複数のＢＷＰに対して同一であってもよい。この場合、複数のＢＷＰにおいて、同じ時間領域に対応する種別は等しい。
【００３７】
例えば、図２Ａに示すように、ＢＷＰ０、ＢＷＰ１、ＢＷＰ２のそれぞれのニューメロロジー（サブキャリア間隔（subcarrier  spacing：ＳＣＳ））が１５ｋＨｚであり、スロット内のシンボル数が７である場合、複数のＢＷＰのスロットパターンを示すために１つのＳＦＩが用いられる。この場合、全てのＢＷＰに対するＳＦＩの解釈は同一である。すなわち、全てのＢＷＰに対して、スロットパターンは｛Ｄ，Ｄ，Ｄ，Ｄ，Ｄ，Ｕｎｋｎｏｗｎ，Ｕ｝である。
【００３８】
以上のオプション１−１によれば、ＵＥは、１つのＳＦＩに基づいて、複数のＢＷＰに対して同一のスロットパターンを決定できる。例えば、複数のＢＷＰ間で伝送方向を合わせることにより、ＢＷＰ間の干渉を抑えることができる。また、ＳＦＩの通知のオーバーヘッド（情報量）を抑えることができる。
【００３９】
《オプション１−２》
複数のＢＷＰのニューメロロジーが異なる場合、参照ニューメロロジーが設定され、参照ニューメロロジーのスロットパターンに従って、異なるニューメロロジーのスロットパターンが決定されてもよい。
【００４０】
ＵＥは、参照ニューメロロジーを設定された１つのＢＷＰのグループ共通ＰＤＣＣＨにおいて、１つのＳＦＩを受信し、１つのＳＦＩに基づいて複数のニューメロロジー（ＢＷＰ）のスロットパターンを決定する。複数のニューメロロジーにおいてＳＦＩの解釈は同一である。すなわち、ＵＥは、ＳＦＩに基づいて参照ニューメロロジーのスロットパターンを決定し、参照ニューメロロジーのスロットパターンに基づいて、他のニューメロロジーのスロットパターンを決定する。
【００４１】
例えば、図２Ｂに示すように、ＢＷＰ０及びＢＷＰ１のニューメロロジーが１５ｋＨｚであり、ＢＷＰ２のニューメロロジーが３０ｋＨｚであり、１５ｋＨｚが参照ニューメロロジーであると想定する。スロットパターンを指示するために１つのＳＦＩが用いられる。すなわち、ＳＦＩは、１５ｋＨｚのＳＣＳに対するスロットパターンを指示する。この例において、１５ｋＨｚのＳＣＳに対してＳＦＩから解釈されたスロットパターンは｛Ｄ，Ｄ，Ｄ，Ｄ，Ｄ，Ｕｎｋｎｏｗｎ，Ｕ｝である。３０ｋＨｚのＳＣＳに対するスロットパターンは、１５ｋＨｚのスロットパターンの解釈により決定される。
【００４２】
例えば、１５ｋＨｚのＳＣＳにおける１シンボルが、３０ｋＨｚのＳＣＳにおける２シンボルに対応するため、１５ｋＨｚのＳＣＳに対するスロットパターンにおいて、‘Ｄ’を‘Ｄ，Ｄ’へ、‘Ｕｎｋｎｏｗｎ’を‘Ｕｎｋｎｏｗｎ，Ｕｎｋｎｏｗｎ’へ、‘Ｕ’を‘Ｕ，Ｕ’へ、変換することにより、３０ｋＨｚのＳＣＳに対するスロットパターンを決定する。参照ニューメロロジーのスロットパターンと、変換後のニューメロロジーのスロットパターンにおいて、同じ時間領域に対応する種別は等しい。すなわち、参照ニューメロロジーのスロットパターンと、変換後のニューメロロジーのスロットパターンにおいて、Ｕｎｋｎｏｗｎ又はガード期間の長さも等しい。
【００４３】
以上のオプション１−２によれば、ＵＥは、異なるニューメロロジー及び／又は異なるＢＷＰに対し、同じ時間領域において同一の伝送方向を有するスロットパターンを決定できる。異なるニューメロロジーを有する複数のＢＷＰ間で伝送方向を合わせることにより、干渉を抑えることができる。また、ＳＦＩの通知のオーバーヘッド（情報量）を抑えることができる。
【００４４】
以上のオプション１によれば、複数のＢＷＰに対して１つのＳＦＩが無線基地局からＵＥへ通知されるため、ＳＦＩの通知のオーバーヘッド（情報量）を抑えることができる。
【００４５】
＜オプション２＞
オプション２では、ＢＷＰ毎にＳＦＩの指示が行われる。異なるＢＷＰのスロットパターンが異なってもよい。
【００４６】
《オプション２−１》
オプション２−１においては、複数のＢＷＰが１つのＳＦＩに関連付けられる。当該ＳＦＩの解釈は、ＢＷＰに依存する。ＳＦＩを運ぶ１つのグループ共通ＰＤＣＣＨが指定される。
【００４７】
ＵＥは、複数のＢＷＰの中の１つのＢＷＰのグループ共通ＰＤＣＣＨにおいて、１つのＳＦＩを受信し、１つのＳＦＩに基づいて複数のＢＷＰのスロットパターンを決定する。複数のＢＷＰにおいてＳＦＩの解釈は異なる。
【００４８】
テーブルにおいて、異なるＢＷＰに対するＳＦＩ値とスロットパターンとの間のマッピングが定義されてもよい。ＳＦＩ値はＳＦＩの値（ビット列、インデックス等）であり、テーブルは取り得る複数のＳＦＩ値を示す。
【００４９】
選択肢１：テーブル内のスロットパターンは予め定義される。
【００５０】
例えば、図３に示すようなテーブルが予め定義されるとする。テーブルは、仕様に定義されてもよい。テーブルは、ＢＷＰ毎、ＳＦＩ値毎の、スロットパターンを示す。テーブルは、予め定義された複数のスロットパターンの１つを示すスロットパターンインデックスによりスロットパターンを示してもよい。
【００５１】
例えば、図４に示すように、ＢＷＰ０及びＢＷＰ１が１５ｋＨｚ  ＳＣＳに設定され、ＢＷＰ２が３０ｋＨｚ  ＳＣＳに設定される。スロットパターンを指示するために１つのＳＦＩが用いられる。
【００５２】
ＵＥは、ＢＷＰ０のスロットｎ内の１つのグループ共通ＰＤＣＣＨにおいてＳＦＩを受信し、ＢＷＰ０のスロットｎ＋ｋ内の１つのグループ共通ＰＤＣＣＨにおいてＳＦＩを受信する。
【００５３】
ＵＥは、テーブルに基づいて、ＢＷＰ０のスロットパターンを、ＢＷＰ０及びＳＦＩ値００１に対応するパターン１｛Ｄ，Ｄ，Ｄ，Ｄ，Ｄ，Ｕｎｋｎｏｗｎ，Ｕ｝と解釈し、ＢＷＰ１のスロットパターンを、ＢＷＰ１及びＳＦＩ値００１に対応するパターン１’｛Ｄ，Ｄ，Ｄ，Ｄ，Ｕｎｋｎｏｗｎ，Ｕｎｋｎｏｗｎ，Ｕ｝と解釈し、ＢＷＰ２のスロットパターンを、ＢＷＰ０及びＳＦＩ値００１に対応するパターン１”｛Ｄ，Ｄ，Ｄ，Ｄ，Ｄ，Ｄ，Ｄ，Ｄ，Ｄ，Ｄ，Ｄ，Ｕｎｋｎｏｗｎ，Ｕ，Ｕ｝と解釈する。
【００５４】
ＢＷＰ０及びＢＷＰ１のシンボル＃５が｛Ｕｎｋｎｏｗｎ｝であるのに対し、その時間リソースに対応するＢＷＰ２のシンボル＃１０及び＃１１は｛Ｄ，Ｕｎｋｎｏｗｎ｝である。すなわち、ＢＷＰ２におけるＵｎｋｎｏｗｎリソースの時間長は、ＢＷＰ０及び１におけるＵｎｋｎｏｗｎリソースの時間長の半分になる。このスロットパターンによれば、ＢＷＰ２において不要なＵｎｋｎｏｗｎリソースを減らすことができる。
【００５５】
スロットｎ及びｎ＋ｋの間において、テーブルにおける各スロットパターンと、ＳＦＩ値とが、変わらないため、各ＢＷＰのスロットパターンも変わらない。
【００５６】
選択肢２：テーブル内のスロットパターンは上位レイヤ（例えば、ＲＲＣ（Radio  Resource  Control））シグナリングにより設定される。
【００５７】
例えば、図３に示すテーブルが上位レイヤシグナリングによりＵＥに設定される。
【００５８】
例えば、複数のテーブルが予め定義され、上位レイヤシグナリングは、どのスロットにどのテーブルを用いるかを設定してもよいし、スロットｎ＋ｋから別のテーブルを用いることを通知してもよいし、スロットｎ＋ｋから特定のＳＦＩ値に対して別のスロットパターンを用いることを通知してもよい。具体的には、スロットパターンの設定のための上位レイヤシグナリングは、スロットパターンの更新タイミングを示すスロットインデックス、更新後のテーブルインデックス、更新対象のＳＦＩ値、更新対象のＢＷＰを示すＢＷＰインデックス、更新後のスロットパターン、予め定義された複数のスロットパターンのうち更新後のスロットパターンを示すスロットパターンインデックスの少なくともいずれかを含んでもよい。このような設定により、スロットパターンは、スロットインデックスに関連付けられる。
【００５９】
例えば、図５に示すように、ＢＷＰ０及びＢＷＰ１が１５ｋＨｚ  ＳＣＳに設定され、ＢＷＰ２が３０ｋＨｚ  ＳＣＳに設定され、スロットパターンを指示するために１つのＳＦＩが用いられる。
【００６０】
ＵＥは、ＢＷＰ０のスロットｎの１つのグループ共通ＰＤＣＣＨにおいてＳＦＩを受信し、ＢＷＰ０のスロットｎ＋ｋの１つのグループ共通ＰＤＣＣＨにおいてＳＦＩを受信する。
【００６１】
スロットｎ及びｎ＋ｋの間において、上位レイヤシグナリングにより設定されたスロットパターンが異なる。
【００６２】
選択肢２によれば、特定のスロットにおいて、複数のニューメロロジーの間でガード期間を合わせるために、ガード期間を確保し、別のスロットでは、できるだけガード期間を減らす等、スロットパターンを変更できる。よって、状況に応じて、干渉の低減、スループットの向上等、を柔軟に制御できる。
【００６３】
以上のオプション２−１によれば、複数のＢＷＰに対して１つのＳＦＩが無線基地局からＵＥへ通知されるため、ＳＦＩの通知のオーバーヘッド（情報量）を抑えつつ、ＢＷＰ毎に異なるスロットパターンを設定できる。例えば、大きいＳＣＳを設定されたＢＷＰにおけるＵｎｋｎｏｗｎの時間長を、小さいＳＣＳを設定されたＢＷＰにおけるＵｎｋｎｏｗｎの時間長よりも短く設定することにより、スケジューリング可能なリソースを増加させ、スループットを向上できる。
【００６４】
《オプション２−２》
オプション２−２においては、複数のＢＷＰが複数のＳＦＩに関連付けられる。各ＢＷＰは１つのＳＦＩに対応する。ＳＦＩを運ぶグループ共通ＰＤＣＣＨの数が指定される。
【００６５】
異なるＢＷＰに対するスロットパターンは、対応するＳＦＩにより指示される。ＵＥは、各ＢＷＰに対するＳＦＩに基づいてスロットパターンを解釈する。
【００６６】
選択肢１：ＳＦＩを運ぶ１つのグループ共通ＰＤＣＣＨが指定される。
【００６７】
ＵＥは、複数のＢＷＰの中の１つのＢＷＰのグループ共通ＰＤＣＣＨにおいて、複数のＳＦＩを受信し、各ＳＦＩに基づいて対応するＢＷＰのスロットパターンを決定する。
【００６８】
図６Ａに示すように、当該グループ共通ＰＤＣＣＨが複数のＳＦＩフィールドを含む。各ＳＦＩフィールドが特定のＢＷＰに対応する１つのＳＦＩを運ぶ。
【００６９】
選択肢２：ＳＦＩを運ぶ複数のグループ共通ＰＤＣＣＨが指定される。
【００７０】
ＵＥは、複数のＢＷＰのそれぞれのグループ共通ＰＤＣＣＨにおいて、ＳＦＩを受信し、各ＳＦＩに基づいて対応するＢＷＰのスロットパターンを決定する。
【００７１】
図６Ｂに示すように、各グループ共通ＰＤＣＣＨが特定のＢＷＰに対応する。この場合、ＵＥは、複数のアクティブＢＷＰを同時に処理できる。
【００７２】
以上のオプション２−２によれば、各ＢＷＰに対して動的にスロットパターンを設定できるため、状況に応じて、干渉の低減、スループットの向上等、をより柔軟に制御できる。
【００７３】
以上のオプション２によれば、ＵＥは、ＳＦＩに基づいて複数のＢＷＰに対するスロットパターンを設定できる。
【００７４】
＜オプション３＞
オプション３では、ニューメロロジー毎にＳＦＩの指示が行われる。異なるニューメロロジーのスロットパターンが異なってもよい。なお、ＢＷＰがニューメロロジーに関連付けられている場合、オプション２及び３のいずれが用いられてもよい。
【００７５】
《オプション３−１》
オプション３−１においては、複数のＢＷＰが１つのＳＦＩに関連付けられる。当該ＳＦＩの解釈は、ＢＷＰに設定されたニューメロロジーに依存する。ＳＦＩを運ぶ１つのグループ共通ＰＤＣＣＨが指定される。
【００７６】
ＵＥは、複数のＢＷＰの中の１つのＢＷＰのグループ共通ＰＤＣＣＨにおいて、１つのＳＦＩを受信し、１つのＳＦＩに基づいて複数のニューメロロジーのスロットパターンを決定する。複数のニューメロロジーにおいてＳＦＩの解釈は異なる。
【００７７】
テーブルにおいて、異なるニューメロロジーに対するＳＦＩ値とスロットパターンの間のマッピングが定義されてもよい。
【００７８】
選択肢１：テーブル内のスロットパターンは予め定義される。
【００７９】
例えば、図７に示すテーブルが予め定義されるとする。テーブルは、仕様に定義されてもよい。テーブルは、ニューメロロジー毎、ＳＦＩ値毎の、スロットパターンを示す。テーブルは、予め定義された複数のスロットパターンの１つを示すスロットパターンインデックスによりスロットパターンを示してもよい。
【００８０】
例えば、図８に示すように、ＢＷＰ０及びＢＷＰ１が１５ｋＨｚ  ＳＣＳに設定され、ＢＷＰ２が３０ｋＨｚ  ＳＣＳに設定され、スロットパターンを指示するために１つのＳＦＩが用いられる。
【００８１】
ＵＥは、ＢＷＰ０のスロットｎ内の１つのグループ共通ＰＤＣＣＨにおいてＳＦＩを受信し、ＢＷＰ０のスロットｎ＋ｋ内の１つのグループ共通ＰＤＣＣＨにおいてＳＦＩを受信する。
【００８２】
ＵＥは、テーブルに基づいて、１５ｋＨｚのＳＣＳを設定されたＢＷＰ０及びＢＷＰ１のスロットパターンを、１５ｋＨｚ及びＳＦＩ値００１に対応するパターン１｛Ｄ，Ｄ，Ｄ，Ｄ，Ｄ，Ｕｎｋｎｏｗｎ，Ｕ｝と解釈し、３０ｋＨｚのＳＣＳを設定されたＢＷＰ２のスロットパターンを、３０ｋＨｚ及びＳＦＩ値００１に対応するパターン１’｛Ｄ，Ｄ，Ｄ，Ｄ，Ｄ，Ｄ，Ｄ，Ｄ，Ｄ，Ｄ，Ｄ，Ｕｎｋｎｏｗｎ，Ｕ，Ｕ｝と解釈する。
【００８３】
ＢＷＰ０及びＢＷＰ１のシンボル＃５が｛Ｕｎｋｎｏｗｎ｝であるのに対し、その時間リソースに対応するＢＷＰ２のシンボル＃１０及び＃１１は｛Ｄ，Ｕｎｋｎｏｗｎ｝である。すなわち、ＢＷＰ２におけるＵｎｋｎｏｗｎリソースの時間長は、ＢＷＰ０及び１におけるＵｎｋｎｏｗｎリソースの時間長の半分になる。このスロットパターンによれば、ＢＷＰ２において不要なＵｎｋｎｏｗｎリソースを減らすことができる。
【００８４】
スロットｎ及びｎ＋ｋの間において、テーブルにおける各スロットパターンと、ＳＦＩ値とが、変わらないため、各ＢＷＰのスロットパターンも変わらない。
【００８５】
選択肢２：テーブル内のスロットパターンは上位レイヤ（例えば、ＲＲＣ（Radio  Resource  Control））シグナリングにより設定される。
【００８６】
例えば、複数のテーブルが予め定義され、上位レイヤシグナリングは、どのスロットにどのテーブルを用いるかを設定してもよいし、スロットｎ＋ｋから別のテーブルを用いることを通知してもよいし、スロットｎ＋ｋから特定のＳＦＩ値に対して別のスロットパターンを用いることを通知してもよい。具体的には、スロットパターンの設定のための上位レイヤシグナリングは、スロットパターンの更新タイミングを示すスロットインデックス、更新後のテーブルインデックス、更新対象のＳＦＩ値、更新対象のニューメロロジーを示すニューメロロジーインデックス、更新後のスロットパターン、予め定義された複数のスロットパターンのうち更新後のスロットパターンを示すスロットパターンインデックスの少なくともいずれかを含んでもよい。このような設定により、スロットパターンは、スロットインデックスに関連付けられる。
【００８７】
例えば、図９に示すように、ＢＷＰ０及びＢＷＰ１が１５ｋＨｚ  ＳＣＳに設定され、ＢＷＰ２が３０ｋＨｚ  ＳＣＳに設定され、スロットパターンを指示するために１つのＳＦＩが用いられる。
【００８８】
ＵＥは、ＢＷＰ０のスロットｎの１つのグループ共通ＰＤＣＣＨにおいてＳＦＩを受信し、ＢＷＰ０のスロットｎ＋ｋの１つのグループ共通ＰＤＣＣＨにおいてＳＦＩを受信する。
【００８９】
スロットｎ及びｎ＋ｋの間において、上位レイヤシグナリングにより設定されたスロットパターンが異なる。
【００９０】
選択肢２によれば、特定のスロットにおいて、複数のニューメロロジーの間でガード期間を合わせるために、ガード期間を確保し、別のスロットでは、できるだけガード期間を減らす等、スロットパターンを変更できる。よって、状況に応じて、干渉の低減、スループットの向上等、を柔軟に制御できる。
【００９１】
以上のオプション３−１によれば、複数のＢＷＰに対して１つのＳＦＩが無線基地局からＵＥへ通知されるため、ＳＦＩの通知のオーバーヘッド（情報量）を抑えつつ、ＢＷＰ毎に異なるスロットパターンを設定できる。例えば、大きいＳＣＳを設定されたＢＷＰにおけるＵｎｋｎｏｗｎの時間長を、小さいＳＣＳを設定されたＢＷＰにおけるＵｎｋｎｏｗｎの時間長よりも短く設定することにより、スケジューリング可能なリソースを増加させ、スループットを向上できる。
【００９２】
《オプション３−２》
オプション３−２においては、複数のニューメロロジーが複数のＳＦＩに関連付けられる。各ニューメロロジーは１つのＳＦＩに対応する。ＳＦＩを運ぶグループ共通ＰＤＣＣＨの数が指定される。
【００９３】
異なるニューメロロジーに対するスロットパターンは、対応するＳＦＩにより指示される。ＵＥは、各ニューメロロジーに対するＳＦＩに基づいてスロットパターンを解釈する。
【００９４】
選択肢１：ＳＦＩを運ぶ１つのグループ共通ＰＤＣＣＨが指定される。
【００９５】
ＵＥは、複数のＢＷＰの中の１つのＢＷＰのグループ共通ＰＤＣＣＨにおいて、複数のＳＦＩを受信し、各ＳＦＩに基づいて対応するニューメロロジーのスロットパターンを決定する。
【００９６】
図１０Ａに示すように、当該グループ共通ＰＤＣＣＨが複数のＳＦＩフィールドを含む。各ＳＦＩフィールドが特定のニューメロロジーに対応する１つのＳＦＩを運ぶ。
【００９７】
選択肢２：ＳＦＩを運ぶ複数のグループ共通ＰＤＣＣＨが指定される。
【００９８】
ＵＥは、複数のＢＷＰのそれぞれのグループ共通ＰＤＣＣＨにおいて、ＳＦＩを受信し、各ＳＦＩに基づいて対応するニューメロロジーのスロットパターンを決定する。
【００９９】
図１０Ｂに示すように、各グループ共通ＰＤＣＣＨが特定のニューメロロジーに対応する。この場合、ＵＥは、複数のアクティブＢＷＰを処理できる。
【０１００】
以上のオプション３−２によれば、各ニューメロロジーに対して動的にスロットパターンを設定できるため、状況に応じて、干渉の低減、スループットの向上等、をより柔軟に制御できる。
【０１０１】
以上のオプション３によれば、ＵＥは、ＳＦＩに基づいて複数のニューメロロジーに対するスロットパターンを設定できる。
【０１０２】
以上の第１の態様によれば、ＵＥは、複数のＢＷＰが設定される場合に、或るＢＷＰにおいて受信されるＳＦＩに基づいて、同一ＢＷＰ及び／又は異なるＢＷＰに対するスロットパターンを決定できる。
【０１０３】
（第２の態様）
第２の態様では、ＵＥは、異なるスロットに対するＳＦＩを解釈する。
【０１０４】
ＳＦＩを受信したスロット及びＢＷＰのニューメロロジーと異なるニューメロロジーを有するスロットに対してＳＦＩの指示が行われる。
【０１０５】
ＳＦＩが異なるスロットのスロットパターンを指示する場合を、クロススロットＳＦＩと呼んでもよい。ＳＦＩが、ＳＦＩのスロットに加えて別のスロットのスロットパターンを指示する場合を、マルチスロットＳＦＩと呼んでもよい。
【０１０６】
＜オプション１＞
オプション１では、複数のニューメロロジーが１つのＳＦＩに関連付けられる。同じＢＷＰの異なるスロットに異なるニューメロロジーが設定されてもよいし、異なるＢＷＰの異なるスロットに異なるニューメロロジーが設定されてもよい。ＳＦＩを運ぶ１つのグループ共通ＰＤＣＣＨが指定される。
【０１０７】
《オプション１−１》
複数のスロットに対してＳＦＩは同一であるが、ＳＦＩの解釈は設定されたニューメロロジーによって異なってもよい。
【０１０８】
ＵＥは、１つのＢＷＰのグループ共通ＰＤＣＣＨにおいて、１つのＳＦＩを受信し、１つのＳＦＩに基づいて複数のニューメロロジー（スロット及び／又はＢＷＰ）のスロットパターンを決定する。複数のニューメロロジーにおいてＳＦＩの解釈は異なる。
【０１０９】
例えば、図１１に示すように、スロットｎが１５ｋＨｚのＳＣＳに設定され、スロットｎ＋１が３０ｋＨｚのＳＣＳに設定される。スロットｎ上のＳＦＩは、スロットｎ及びスロットｎ＋１のスロットパターンを示す。ＳＦＩ値が００１であると仮定すると、ＵＥは、ＳＦＩ値に基づいて、スロットｎのスロットパターン｛Ｄ，Ｄ，Ｄ，Ｄ，Ｄ，Ｕｎｋｎｏｗｎ，Ｕ｝と解釈し、スロットｎ＋１をスロットパターン｛Ｄ，Ｄ，Ｄ，Ｄ，Ｄ，Ｄ，Ｄ，Ｄ，Ｄ，Ｄ，Ｄ，Ｕｎｋｎｏｗｎ，Ｕ，Ｕ｝と解釈する。
【０１１０】
ＳＦＩ値と、異なるニューメロロジーのスロットパターンと、の間のマッピング関係は、予め定義されてもよいし、上位レイヤにより設定されてもよい。
【０１１１】
図１２に示すように、ＳＦＩの指示は、異なるＢＷＰを有する複数のスロットにわたり、異なるＢＷＰは、周波数領域において重複しなくてもよい。この図の例では、スロットｎのＢＷＰ０内のグループ共通ＰＤＣＣＨで運ばれたＳＦＩは、スロットｎのＢＷＰ０のスロットパターンと、スロットｎ＋１のＢＷＰ２のスロットパターンを示す。ＢＷＰ０とＢＷＰ２は、周波数領域において重複しない。
【０１１２】
図１３に示すように、ＳＦＩの指示は、異なるＢＷＰを有する複数のスロットにわたり、異なるＢＷＰは、周波数領域において重複し、時間領域において重複しなくてもよい。この図の例では、スロットｎのＢＷＰ０内のグループ共通ＰＤＣＣＨで運ばれたＳＦＩは、スロットｎのＢＷＰ０のスロットパターンと、スロットｎ＋１のＢＷＰ２のスロットパターンを示す。ＢＷＰ０とＢＷＰ２は、周波数領域において重複し、時間領域において重複しない。
【０１１３】
以上のオプション１−１によれば、１つのＳＦＩに基づいて、異なるニューメロロジーに対し、１つのＳＦＩから異なるスロットパターンを決定できる。よって、ＳＦＩの通知のオーバーヘッド（情報量）を抑えることができる。また、例えば、大きいＳＣＳを設定されたスロット及び／又はＢＷＰにおけるＵｎｋｎｏｗｎの時間長を、小さいＳＣＳを設定されたスロット及び／又はＢＷＰにおけるＵｎｋｎｏｗｎの時間長よりも短く設定することにより、スケジューリング可能なリソースを増加させ、スループットを向上できる。
【０１１４】
《オプション１−２》
複数のＢＷＰのニューメロロジーが異なる場合、参照ニューメロロジーが設定され、参照ニューメロロジーのスロットパターンに従って、異なるニューメロロジーのスロットパターンが決定されてもよい。
【０１１５】
ＵＥは、１つのＢＷＰのグループ共通ＰＤＣＣＨにおいて、１つのＳＦＩを受信し、１つのＳＦＩに基づいて複数のニューメロロジー（スロット及び／又はＢＷＰ）のスロットパターンを決定する。複数のニューメロロジーにおいてＳＦＩの解釈は同一である。すなわち、ＵＥは、ＳＦＩに基づいて参照ニューメロロジーのスロットパターンを決定し、参照ニューメロロジーのスロットパターンに基づいて、他のニューメロロジーのスロットパターンを決定する。
【０１１６】
複数のニューメロロジーに対してＳＦＩの指示が行われるが、スロットパターンは参照ニューメロロジーに基づく。参照ニューメロロジーのスロットパターンから、他のニューメロロジーのスロットパターンへの変換によれば、参照ニューメロロジーのスロットパターンと、変換後のニューメロロジーのスロットパターンにおいて、同じ時間領域に対応する種別は等しい。すなわち、参照ニューメロロジーのスロットパターンと、変換後のニューメロロジーのスロットパターンにおいて、Ｕｎｋｎｏｗｎ又はガード期間の長さも等しい。
【０１１７】
例えば、図１４に示すように、或るＢＷＰにおいて、スロットｎに１５ｋＨｚのＳＣＳが設定され、スロットｎに３０ｋＨｚのＳＣＳが設定され、参照ニューメロロジーが１５ｋＨｚであると定義される。
【０１１８】
ＳＦＩは、参照ニューメロロジーを設定されたスロットｎのスロットパターンを示し、ＵＥは、スロットｎのスロットパターンに基づいてスロットｎ＋１のスロットパターンを決定する。
【０１１９】
例えば、図１５に示すように、ＢＷＰ０に１５ｋＨｚのＳＣＳが設定され、ＢＷＰ１に１５ｋＨｚのＳＣＳが設定され、ＢＷＰ２に３０ｋＨｚのＳＣＳが設定され、参照ニューメロロジーが１５ｋＨｚであると定義される。周波数領域においてＢＷＰ０、ＢＷＰ１、及びＢＷＰ２は重複しない。
【０１２０】
スロットｎのＢＷＰ０内のＳＦＩは、参照ニューメロロジーを設定されたスロットｎのＢＷＰ０のスロットパターンを示し、ＵＥは、スロットｎのＢＷＰ０のスロットパターンに基づいてスロットｎ＋１のＢＷＰ２のスロットパターンを決定する。
【０１２１】
例えば、図１６に示すように、スロットｎのＢＷＰ０に１５ｋＨｚのＳＣＳが設定され、スロットｎのＢＷＰ１に１５ｋＨｚのＳＣＳが設定され、スロットｎ＋１のＢＷＰ２に３０ｋＨｚのＳＣＳが設定され、参照ニューメロロジーが１５ｋＨｚであると定義される。周波数領域においてＢＷＰ２はＢＷＰ０及びＢＷＰ１と重複するが、時間領域においてＢＷＰ２はＢＷＰ０及びＢＷＰ１と重複しない。
【０１２２】
スロットｎのＢＷＰ０内のＳＦＩは、参照ニューメロロジーを設定されたスロットｎのＢＷＰ０のスロットパターンを示し、ＵＥは、スロットｎのＢＷＰ０のスロットパターンに基づいてスロットｎ＋１のＢＷＰ２のスロットパターンを決定する。
【０１２３】
以上のオプション１−２によれば、ＵＥは、異なるニューメロロジーに対し、同じ時間領域において同一の伝送方向を有するスロットパターンを決定できる。
【０１２４】
以上のオプション１によれば、複数のスロットに対して１つのＳＦＩが無線基地局からＵＥへ通知されるため、ＳＦＩの通知のオーバーヘッド（情報量）を抑えることができる。また、グループ共通ＰＤＣＣＨを受信したスロットと異なるスロットに対するスロットパターンを決定することができる。
【０１２５】
＜オプション２＞
オプション２では、ニューメロロジー毎にＳＦＩの指示が行われる。異なるＢＷＰのスロットパターンが異なってもよい。ＳＦＩを運ぶグループ共通ＰＤＣＣＨの数が指定される。
【０１２６】
複数のニューメロロジーが複数のＳＦＩに関連付けられる。各ニューメロロジーは１つのＳＦＩに対応する。ＵＥは、各ニューメロロジーに対するＳＦＩに基づいてスロットパターンを解釈する。
【０１２７】
選択肢１：ＳＦＩを運ぶ１つのグループ共通ＰＤＣＣＨが指定される。
【０１２８】
ＵＥは、１つのグループ共通ＰＤＣＣＨにおいて、複数のＳＦＩを受信し、各ＳＦＩに基づいて対応するニューメロロジーのスロットパターンを決定する。
【０１２９】
ＳＦＩを運ぶグループ共通ＰＤＣＣＨは、複数のＳＦＩフィールドを含む。各ＳＦＩフィールドは、特定のニューメロロジーに対応する１つのＳＦＩを運ぶ。
【０１３０】
例えば、図１７に示すように、スロットｎに１５ｋＨｚのＳＣＳが設定され、スロットｎ＋１に３０ｋＨｚのＳＣＳが設定され、スロットｎ上のＳＦＩがスロットｎ及びスロットｎ＋１のスロットパターンを指示する。このＳＦＩは、ＳＦＩフィールドとしてＳＦＩ１及びＳＦＩ２を含む。ＳＦＩ１内のＳＦＩはスロットｎのスロットパターンを指示し、ＳＦＩ２内のＳＦＩはスロットｎ＋１のスロットパターンを指示する。
【０１３１】
選択肢２：ＳＦＩを運ぶ複数のグループ共通ＰＤＣＣＨが指定される。
【０１３２】
ＵＥは、複数のグループ共通ＰＤＣＣＨのそれぞれにおいて、ＳＦＩを受信し、各ＳＦＩに基づいて対応するＢＷＰのスロットパターンを決定する。各グループ共通ＰＤＣＣＨは特定のニューメロロジーに対応する。
【０１３３】
例えば、図１８に示すように、スロットｎに１５ｋＨｚのＳＣＳが設定され、スロットｎ＋１に３０ｋＨｚのＳＣＳが設定され、スロットｎ上のＳＦＩがスロットｎ及びスロットｎ＋１のスロットパターンを指示する。スロットｎでは、グループ共通ＰＤＣＣＨとしてＧＣ−ＰＤＣＣＨ１及びＧＣ−ＰＤＣＣＨ２が送信される。
【０１３４】
１５ｋＨｚのＳＣＳに対するＳＦＩ１は、ＧＣ−ＰＤＣＣＨ１により運ばれる。ＳＦＩ１内のＳＦＩは、１５ｋＨｚのＳＣＳに対応するスロットｎのスロットパターンを示す。３０ｋＨｚのＳＣＳに対するＳＦＩ２は、ＧＣ−ＰＤＣＣＨ２により運ばれる。ＳＦＩ２内のＳＦＩは、３０ｋＨｚのＳＣＳに対応するスロットｎ＋１のスロットパターンを示す。
【０１３５】
以上のオプション２によれば、ＵＥは、異なるスロットに異なるニューメロロジーが設定される場合に、ニューメロロジー毎のＳＦＩに基づいて、ニューメロロジー毎に異なるスロットパターンを決定できる。また、各スロット及び／又はＢＷＰに対して動的にスロットパターンを設定できるため、状況に応じて、干渉の低減、スループットの向上等、をより柔軟に制御できる。
【０１３６】
以上の第２の態様によれば、ＵＥは、異なるスロットに異なるニューメロロジーが設定される場合に、或るスロットのＳＦＩに基づいて同一スロット及び／又は異なるスロットに対するスロットパターンを決定できる。
【０１３７】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【０１３８】
図１９は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT）などと呼ばれても良い。
【０１３９】
この図に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間で異なるニューメロロジーが適用される構成としてもよい。なお、ニューメロロジーとは、サブキャリア間隔、シンボル長、サイクリックプリフィクス（ＣＰ）長、１伝送時間間隔（ＴＴＩ）あたりのシンボル数、ＴＴＩの時間長の少なくとも一つであってもよい。また、スロットは、ユーザ端末が適用するニューメロロジーに基づく時間単位であってもよい。スロットあたりのシンボル数は、サブキャリア間隔に応じて定められてもよい。
【０１４０】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１４１】
また、ユーザ端末２０は、各セル（キャリア）で、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成第２のタイプ）、ＦＤＤキャリア（フレーム構成第１のタイプ）等と呼ばれてもよい。
【０１４２】
また、各セル（キャリア）では、相対的に長い時間長（例えば、１ｍｓ）を有するスロット（ＴＴＩ、通常ＴＴＩ、ロングＴＴＩ、通常サブフレーム、ロングサブフレーム又はサブフレーム等ともいう）、及び／又は、相対的に短い時間長を有するスロット（ミニスロット、ショートＴＴＩ又はショートサブフレーム等ともいう）が適用されてもよい。また、各セルで、２以上の時間長のスロットが適用されてもよい。
【０１４３】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。また、ユーザ端末２０は、一以上のＢＷＰが設定されてもよい。ＢＷＰは、キャリアの少なくとも一部で構成される。
【０１４４】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１４５】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１４６】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１４７】
各ユーザ端末２０は、ＬＴＥ、ＬＴＥ−Ａなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１４８】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。また、端末間通信に用いられるサイドリンク（ＳＬ）にＳＣ−ＦＤＭＡを適用できる。
【０１４９】
無線通信システム１では、ＤＬチャネルとして、各ユーザ端末２０で共有されるＤＬデータチャネル（ＰＤＳＣＨ：Physical  Downlink  Shared  Channel、ＤＬ共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ＤＬデータ（ユーザデータ、上位レイヤ制御情報、ＳＩＢ（System  Information  Block）などの少なくとも一つ）が伝送される。また、ＰＢＣＨにより、ＭＩＢ（Master  Information  Block）が伝送される。
【０１５０】
Ｌ１／Ｌ２制御チャネルは、ＤＬ制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨにより、ＰＵＳＣＨの送達確認情報（Ａ／Ｎ、ＨＡＲＱ−ＡＣＫ、ＨＡＲＱ−ＡＣＫビット又はＡ／Ｎコードブック等ともいう）を伝送できる。
【０１５１】
無線通信システム１では、ＵＬチャネルとして、各ユーザ端末２０で共有されるＵＬデータチャネル（ＰＵＳＣＨ：Physical  Uplink  Shared  Channel、ＵＬ共有チャネル等ともいう）、ＵＬ制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ＵＬデータ（ユーザデータ及び／又は上位レイヤ制御情報）が伝送される。ＰＤＳＣＨの送達確認情報（Ａ／Ｎ、ＨＡＲＱ−ＡＣＫ）チャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１５２】
＜無線基地局＞
図２０は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。無線基地局１０は、ＵＬにおいて「受信装置」を構成し、ＤＬにおいて「送信装置」を構成してもよい。
【０１５３】
下りリンクにより無線基地局１０からユーザ端末２０に送信されるユーザデータは、上位局装置３０から伝送路インターフェース１０６を介してベースバンド信号処理部１０４に入力される。
【０１５４】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の処理）、スケジューリング、伝送フォーマット選択、チャネル符号化、レートマッチング、スクランブリング、逆高速フーリエ変換（ＩＦＦＴ：Inverse  Fast  Fourier  Transform）処理及びプリコーディング処理の少なくとも一つなどの送信処理が行われて送受信部１０３に転送される。また、下り制御信号に関しても、チャネル符号化及び／又は逆高速フーリエ変換などの送信処理が行われて、送受信部１０３に転送される。
【０１５５】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１５６】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１５７】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１５８】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定、解放などの呼処理、無線基地局１０の状態管理、無線リソースの管理の少なくとも一つを行う。
【０１５９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１６０】
また、送受信部１０３は、ＤＬ信号（例えば、ＤＬ制御信号（ＤＬ制御チャネル又はＤＣＩ等ともいう）、ＤＬデータ信号（ＤＬデータチャネル又はＤＬデータ等ともいう）、及び、参照信号の少なくとも一つ）を送信する。また、送受信部１０３は、ＵＬ信号（例えば、ＵＬ制御信号（ＵＬ制御チャネル又はＵＣＩ等ともいう）、ＵＬデータ信号（ＵＬデータチャネル又はＵＬデータ等ともいう）、及び、参照信号の少なくとも一つ）を受信する。
【０１６１】
また、送受信部１０３は、スロット関連情報（ＳＦＩ）を送信してもよい。
【０１６２】
また、送受信部１０３は、上位レイヤシグナリング（例えば、ＲＲＣシグナリング）を介して、パターン（例えば、スロットパターン）と、指示情報の値と、部分周波数帯域（例えば、ＢＷＰ）、ニューメロロジー（例えば、ＳＣＳ）、及びスロットの少なくともいずれかと、の関連付けを示す情報を送信してもよい。
【０１６３】
図２１は、本実施の形態に係る無線基地局の機能構成の一例を示す図である。なお、この図は、本実施の形態における特徴部分の機能ブロックを主に示しており、無線基地局１０は、無線通信に必要な他の機能ブロックも有しているものとする。この図に示すように、ベースバンド信号処理部１０４は、制御部３０１と、送信信号生成部３０２と、マッピング部３０３と、受信信号処理部３０４と、測定部３０５とを備えている。
【０１６４】
制御部３０１は、無線基地局１０全体の制御を実施する。制御部３０１は、例えば、送信信号生成部３０２によるＤＬ信号の生成、マッピング部３０３によるＤＬ信号のマッピング、受信信号処理部３０４によるＵＬ信号の受信処理（例えば、復調など）及び測定部３０５による測定の少なくとも一つを制御する。また、制御部３０１は、データチャネル（ＤＬデータチャネル及び／又はＵＬデータチャネルを含む）のスケジューリングを制御してもよい。
【０１６５】
制御部３０１は、ＤＬデータチャネルのスケジューリング単位となる時間単位（例えば、スロット）におけるシンボル毎の伝送方向を制御してもよい。具体的には、制御部３０１は、スロット内のＤＬシンボル及び／又はＵＬシンボルを示すＳＦＩの生成及び／又は送信を制御してもよい。
【０１６６】
また、制御部３０１は、パターン（例えば、スロットパターン）と、指示情報の値と、部分周波数帯域（例えば、ＢＷＰ）、ニューメロロジー（例えば、ＳＣＳ）、及びスロットの少なくともいずれかと、の関連付けを示す情報に基づいて、指示情報（例えば、ＳＦＩ）を生成してもよい。
【０１６７】
制御部３０１は、本発明に係る技術分野での共通認識に基づいて説明されるコントローラ、制御回路又は制御装置から構成することができる。
【０１６８】
送信信号生成部３０２は、制御部３０１からの指示に基づいて、ＤＬ信号（ＤＬデータ（チャネル）、ＤＣＩ、ＤＬ参照信号、上位レイヤシグナリングによる制御情報の少なくとも一つを含む）を生成して、マッピング部３０３に出力してもよい。
【０１６９】
送信信号生成部３０２は、本発明に係る技術分野での共通認識に基づいて説明される信号生成器、信号生成回路又は信号生成装置とすることができる。
【０１７０】
マッピング部３０３は、制御部３０１からの指示に基づいて、送信信号生成部３０２で生成されたＤＬ信号を、所定の無線リソースにマッピングして、送受信部１０３に出力する。例えば、マッピング部３０３は、制御部３０１によって決定される配置パターンを用いて、参照信号を所定の無線リソースにマッピングする。
【０１７１】
マッピング部３０３は、本発明に係る技術分野での共通認識に基づいて説明されるマッパー、マッピング回路又はマッピング装置とすることができる。
【０１７２】
受信信号処理部３０４は、ユーザ端末２０から送信されるＵＬ信号の受信処理（例えば、デマッピング、復調及び復号の少なくとも一つなど）を行う。具体的には、受信信号処理部３０４は、受信信号及び／又は受信処理後の信号を、測定部３０５に出力してもよい。
【０１７３】
受信信号処理部３０４は、本発明に係る技術分野での共通認識に基づいて説明される信号処理器、信号処理回路又は信号処理装置から構成することができる。また、受信信号処理部３０４は、本発明に係る受信部を構成することができる。
【０１７４】
測定部３０５は、例えば、参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１７５】
＜ユーザ端末＞
図２２は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。ユーザ端末２０は、ＵＬにおいて「送信装置」を構成し、ＤＬにおいて「受信装置」を構成してもよい。
【０１７６】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１７７】
ベースバンド信号処理部２０４は、入力されたベースバンド信号に対して、ＦＦＴ処理、誤り訂正復号、再送制御の受信処理などの少なくとも一つを行う。ＤＬデータは、アプリケーション部２０５に転送される。アプリケーション部２０５は、物理レイヤ及びＭＡＣレイヤより上位のレイヤに関する処理などを行う。
【０１７８】
一方、ＵＬデータについては、アプリケーション部２０５からベースバンド信号処理部２０４に入力される。ベースバンド信号処理部２０４では、再送制御処理（例えば、ＨＡＲＱの処理）、チャネル符号化、レートマッチング、パンクチャ、離散フーリエ変換（ＤＦＴ：Discrete  Fourier  Transform）処理、ＩＦＦＴ処理などの少なくとも一つが行われて各送受信部２０３に転送される。ＵＣＩ（例えば、ＤＬ信号のＡ／Ｎ、チャネル状態情報（ＣＳＩ）、スケジューリング要求（ＳＲ）の少なくとも一つなど）についても、チャネル符号化、レートマッチング、パンクチャ、ＤＦＴ処理及びＩＦＦＴ処理などの少なくとも一つが行われて各送受信部２０３に転送される。
【０１７９】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１８０】
また、送受信部２０３は、ＤＬ信号（例えば、ＤＬ制御信号（ＤＬ制御チャネル又はＤＣＩ等ともいう）、ＤＬデータ信号（ＤＬデータチャネル又はＤＬデータ等ともいう）、及び、参照信号の少なくとも一つ）を受信する。また、送受信部２０３は、ＵＬ信号（例えば、ＵＬ制御信号（ＵＬ制御チャネル又はＵＣＩ等ともいう）、ＵＬデータ信号（ＵＬデータチャネル又はＵＬデータ等ともいう）、及び、参照信号の少なくとも一つ）を送信する。
【０１８１】
また、送受信部２０３は、スロットに含まれるシンボル毎の種別（例えば、ＤＬ、ＵＬ、Ｕｎｋｎｏｗｎのいずれか）を示すパターン（例えば、スロットパターン）を指示する指示情報（例えば、ＳＦＩ）を、下り制御チャネル（例えば、グループ共通ＰＤＣＣＨ）において受信してもよい。
【０１８２】
また、送受信部２０３は、上位レイヤシグナリング（例えば、ＲＲＣシグナリング）を介して、パターン（例えば、スロットパターン）と、指示情報の値と、部分周波数帯域（例えば、ＢＷＰ）、ニューメロロジー（例えば、ＳＣＳ）、及びスロットの少なくともいずれかと、の関連付けを示す情報を受信してもよい。
【０１８３】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１８４】
図２３は、本実施の形態に係るユーザ端末の機能構成の一例を示す図である。なお、この図においては、本実施の形態における特徴部分の機能ブロックを主に示しており、ユーザ端末２０は、無線通信に必要な他の機能ブロックも有しているものとする。この図に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１８５】
制御部４０１は、ユーザ端末２０全体の制御を実施する。制御部４０１は、例えば、送信信号生成部４０２によるＵＬ信号の生成、マッピング部４０３によるＵＬ信号のマッピング、受信信号処理部４０４によるＤＬ信号の受信処理及び測定部４０５による測定の少なくとも一つを制御する。
【０１８６】
具体的には、制御部４０１は、ＤＬ制御チャネルをモニタリング（ブラインド復号）、及び、ユーザ端末２０に対するＤＣＩ（グループ共通ＤＣＩ及び／又はＵＥ固有ＤＣＩを含む）の検出を制御してもよい。例えば、制御部４０１は、ユーザ端末２０に設定される一以上のＣＯＲＥＳＥＴをモニタリングしてもよい。
【０１８７】
また、制御部４０１は、ＤＬデータチャネルのスケジューリング単位となる時間単位（例えば、スロット）におけるシンボル毎の伝送方向を制御してもよい。
【０１８８】
また、制御部４０１は、当該ＳＦＩに基づいて決定されるスロット内の所定シンボルの所定周波数リソース（Ｕｎｋｎｏｗｎリソース）において、ＤＬ信号の受信及びＵＬ信号の送信を想定しなくともよい。
【０１８９】
また、制御部４０１は、指示情報により指示されたパターンに基づいて送受信を制御してもよい。また、制御部４０１は、キャリア周波数帯域（例えば、ＣＣ又はシステム帯域）内の複数の部分周波数帯域（例えば、ＢＷＰ）が設定される場合、指示情報に基づいて、複数の部分周波数帯域の中の少なくとも１つの部分周波数帯域に対するパターンを決定してもよい。
【０１９０】
また、制御部４０１は、１つの指示情報に基づいて、複数の周波数帯域部分及び／又は複数のニューメロロジーにそれぞれ対応する複数のパターンを決定してもよい。
【０１９１】
また、複数のパターンにおいて、同じ時間領域に対応する種別は等しくてもよい。
【０１９２】
また、送受信部２０３は、複数の周波数帯域部分及び／又は複数のニューメロロジーにそれぞれ対応する複数の指示情報を受信し、制御部４０１は、複数の周波数帯域部分及び／又は複数のニューメロロジーのそれぞれに対するパターンを、対応する指示情報に基づいて決定してもよい。
【０１９３】
また、制御部４０１は、指示情報に基づいて、下りリンク制御チャネルのスロットと異なるスロットに対するパターンを決定してもよい。
【０１９４】
制御部４０１は、本発明に係る技術分野での共通認識に基づいて説明されるコントローラ、制御回路又は制御装置から構成することができる。
【０１９５】
送信信号生成部４０２は、制御部４０１からの指示に基づいて、ＵＬ信号、ＤＬ信号の再送制御情報を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１９６】
マッピング部４０３は、制御部４０１からの指示に基づいて、送信信号生成部４０２で生成されたＵＬ信号、ＤＬ信号の再送制御情報を無線リソースにマッピングして、送受信部２０３へ出力する。例えば、マッピング部４０３は、制御部４０１によって決定される配置パターンを用いて、参照信号を所定の無線リソースにマッピングする。
【０１９７】
マッピング部４０３は、本発明に係る技術分野での共通認識に基づいて説明されるマッパー、マッピング回路又はマッピング装置とすることができる。
【０１９８】
受信信号処理部４０４は、ＤＬ信号の受信処理（例えば、デマッピング、復調及び復号の少なくとも一つなど）を行う。例えば、受信信号処理部４０４は、制御部４０１によって決定される配置パターンの参照信号を用いて、ＤＬデータチャネルを復調してもよい。
【０１９９】
また、受信信号処理部４０４は、受信信号及び／又は受信処理後の信号を、制御部４０１及び／又は測定部４０５に出力してもよい。受信信号処理部４０４は、例えば、上位レイヤシグナリングによる上位レイヤ制御情報、Ｌ１／Ｌ２制御情報（例えば、ＵＬグラント及び／又はＤＬアサインメント）などを、制御部４０１に出力する。
【０２００】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０２０１】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０２０２】
測定部４０５は、本発明に係る技術分野での共通認識に基づいて説明される信号処理器、信号処理回路又は信号処理装置、並びに、測定器、測定回路又は測定装置から構成することができる。
【０２０３】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０２０４】
例えば、本実施の形態における無線基地局、ユーザ端末などは、本発明の無線通信方法の処理を行うコンピュータとして機能してもよい。図２４は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２０６】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０２０７】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び書き込みの少なくとも一つを制御することで実現される。
【０２０８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０２０９】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０２１０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２１１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０２１２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０２１３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２１４】
また、この図に示す各装置は、情報を通信するためのバス１００７で接続される。バス１００７は、単一のバスで構成されてもよいし、装置間で異なるバスで構成されてもよい。
【０２１５】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０２１６】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２１７】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０２１８】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において一つ又は複数のシンボルで構成されてもよい。
【０２１９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０２２０】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅及び／又は送信電力など）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリング及び／又はリンクアダプテーションなどの処理単位となってもよい。なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２２１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、又はショートサブフレームなどと呼ばれてもよい。
【０２２２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０２２３】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０２２４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボルの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２２５】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０２２６】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０２２７】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２８】
また、情報、信号などは、上位レイヤから下位レイヤ、及び／又は下位レイヤから上位レイヤへ出力され得る。情報、信号などは、複数のネットワークノードを介して入出力されてもよい。
【０２２９】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０２３０】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２３１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２３２】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０２３３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２３６】
本明細書で使用する「システム」及び「ネットワーク」という用語は、互換的に使用される。
【０２３７】
本明細書では、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２３８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２３９】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。
【０２４０】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び／又は「下り」は、「サイド」と読み替えられてもよい。例えば、上りチャネルは、サイドチャネルと読み替えられてもよい。
【０２４２】
同様に、本明細書におけるユーザ端末は、無線基地局で読み替えてもよい。この場合、上述のユーザ端末２０が有する機能を無線基地局１０が有する構成としてもよい。
【０２４３】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２４４】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２４５】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２４６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４７】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２４８】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４９】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２５０】
本明細書又は請求の範囲で「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２５１】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2019030925.tif 000003
【図２】
2019030925.tif 000004
【図３】
2019030925.tif 000005
【図４】
2019030925.tif 000006
【図５】
2019030925.tif 000007
【図６】
2019030925.tif 000008
【図７】
2019030925.tif 000009
【図８】
2019030925.tif 000010
【図９】
2019030925.tif 000011
【図１０】
2019030925.tif 000012
【図１１】
2019030925.tif 000013
【図１２】
2019030925.tif 000014
【図１３】
2019030925.tif 000015
【図１４】
2019030925.tif 000016
【図１５】
2019030925.tif 000017
【図１６】
2019030925.tif 000018
【図１７】
2019030925.tif 000019
【図１８】
2019030925.tif 000020
【図１９】
2019030925.tif 000021
【図２０】
2019030925.tif 000022
【図２１】
2019030925.tif 000023
【図２２】
2019030925.tif 000024
【図２３】
2019030925.tif 000025
【図２４】
2019030925.tif 000026
【国際調査報告】
2019030925.tif 000027
2019030925.tif 000028
2019030925.tif 000029
2019030925.tif 000030